(57)【特許請求の範囲】
【請求項１】
ネットワークを介して接続されている複数の端末装置、を含む画像表示システムであって、
前記複数の端末装置のうちの自端末装置は、通話中の前記複数の端末装置のうちの相手端末装置の画面に表示される画像を、通話中や通話の開始にあたって前記相手端末装置に送信することなく、該相手端末装置に保存されている画像の識別情報を送信することで切替えることを特徴とする画像表示システム。
【請求項２】
前記画像の識別情報は、キーボタンの操作に応じて送信されることを特徴とする請求項１記載の画像表示システム。
【請求項３】
前記画像の識別情報は、前記自端末装置に備えられたカメラが話者の表情を読み取り、その表情に応じて送信されることを特徴とする請求項１記載の画像表示システム。
【請求項４】
前記画像の識別情報は、電子メールを使って送信されることを特徴とする請求項１乃至３のいずれか１項に記載の画像表示システム。
【請求項５】
前記画像の識別情報は、マルチコール機能を使って送信されることを特徴とする請求項１乃至３のいずれか１項に記載の画像表示システム。
【請求項６】
前記画像の識別情報は、識別音を使って送信されることを特徴とする請求項１乃至３のいずれか１項に記載の画像表示システム。
【請求項７】
前記電子メールが送信される際に、前記自端末装置の管理部に設定されていた通話中の前記相手端末装置の電子メールアドレス宛に、前記自端末装置から指定された前記画像の識別情報が送信されることを特徴とする請求項４記載の画像表示システム。
【請求項８】
前記電子メールが受信された際に、該電子メールのアドレスが前記相手端末装置の管理部に設定されていた前記自端末装置側の電子メールアドレスと同じであったことを検出すると、前記電子メールに含まれるデータから画像の識別情報の分析を行い、該識別情報で指定された前記画像を表示部に表示することを特徴とする請求項４または７記載の画像表示システム。
【請求項９】
ネットワークを介して接続されている相手端末装置の通話中の画面に表示される画像を、通話中や通話の開始にあたって前記相手端末装置に送信することなく、該相手端末装置に保存されている画像の識別情報を送信することで切替えることを特徴とする端末装置。
【請求項１０】
前記画像の識別情報を、キーボタンの操作に応じて送信することを特徴とする請求項９記載の端末装置。
【請求項１１】
前記画像の識別情報を、前記端末装置に備えられたカメラが話者の表情を読み取り、その表情に応じて送信することを特徴とする請求項９記載の端末装置。
【請求項１２】
前記画像の識別情報を、電子メールを使って送信することを特徴とする請求項９乃至１１のいずれか１項に記載の端末装置。
【請求項１３】
前記画像の識別情報を、マルチコール機能を使って送信することを特徴とする請求項９乃至１１のいずれか１項に記載の端末装置。
【請求項１４】
前記画像の識別情報を、識別音を使って送信することを特徴とする請求項９乃至１１のいずれか１項に記載の端末装置。
【請求項１５】
前記電子メールを送信する際に、管理部に設定されていた通話中の前記相手端末装置の電子メールアドレス宛に、指定する前記画像の識別情報を送信することを特徴とする請求項１２記載の端末装置。
【請求項１６】
ネットワークを介して接続されている相手端末装置から通話中や通話の開始にあたって画像を受信することなく、前記相手端末装置から画像の識別情報を受信することで、自装置に保存されている画像が指定されて、指定された該画像を通話中の画面に切替えて表示することを特徴とする端末装置。
【請求項１７】
前記画像の識別情報を、電子メールを使って受信することを特徴とする請求項１６記載の端末装置。
【請求項１８】
前記電子メールを受信した際に、該電子メールのアドレスが管理部に設定されていた前記相手端末装置の電子メールアドレスと同じであったことを検出すると、前記電子メールに含まれるデータから画像の識別情報の分析を行い、該識別情報で指定された前記画像を表示部に表示することを特徴とする請求項１７記載の端末装置。
【請求項１９】
ネットワークを介して接続されている複数の端末装置、を利用した画像表示方法であって、
前記複数の端末装置のうちの自端末装置は、通話中の前記複数の端末装置のうちの相手端末装置の画面に表示される画像を、通話中や通話の開始にあたって前記相手端末装置に送信することなく、該相手端末装置に保存されている画像の識別情報を送信することで切替えることを特徴とする画像表示方法。
【請求項２０】
前記画像の識別情報は、キーボタンの操作に応じて送信されることを特徴とする請求項１９記載の画像表示方法。
【請求項２１】
前記画像の識別情報は、前記自端末装置に備えられたカメラが話者の表情を読み取り、その表情に応じて送信されることを特徴とする請求項１９記載の画像表示方法。
【請求項２２】
前記画像の識別情報は、電子メールを使って送信されることを特徴とする請求項１９乃至２１のいずれか１項に記載の画像表示方法。
【請求項２３】
前記画像の識別情報は、マルチコール機能を使って送信されることを特徴とする請求項１９乃至２１のいずれか１項に記載の画像表示方法。
【請求項２４】
前記画像の識別情報は、識別音を使って送信されることを特徴とする請求項１９乃至２１のいずれか１項に記載の画像表示方法。
【請求項２５】
前記電子メールが送信される際に、前記自端末装置の管理部に設定されていた通話中の前記相手端末装置の電子メールアドレス宛に、前記自端末装置から指定された前記画像の識別情報が送信されることを特徴とする請求項２２記載の画像表示方法。
【請求項２６】
前記電子メールが受信された際に、該電子メールのアドレスが前記相手端末装置の管理部に設定されていた前記自端末装置側の電子メールアドレスと同じであったことを検出すると、前記電子メールに含まれるデータから画像の識別情報の分析を行い、該識別情報で指定された前記画像を表示部に表示することを特徴とする請求項２２または２５記載の画像表示方法。
【請求項２７】
請求項１９から２６のいずれか１項に記載の処理を情報処理装置に実行させることを特徴とするプログラム。
【発明の詳細な説明】
【技術分野】
【０００１】
本発明は、相手の端末装置画面に表示される画像を簡易な手順で切り替える機能を、複雑な部を具備することなしに実現する画像表示システム、端末装置、画像表示方法およびプログラムに関する。
【背景技術】
【０００２】
近年、携帯電話機で通話中に、音声だけでなく画像を相手端末に送信して、相手側端末が送信してくる画像をみながら通話できる携帯電話端末が増えてきている。【０００３】
まず、従来の携帯電話機で通話中に、音声だけでなく画像を相手端末に送信して、通話相手側が意図する画像をみながら通話する機能を持つ携帯電話端末では、自身の携帯電話端末に保存している架空のキャラクタ画像等を、相手端末側に送信する機能を持っている。【０００４】
相手側端末に送信する画像は、「自身の携帯電話に付属しているカメラで撮影中の画像」や「自身の携帯電話端末に保存している架空のキャラクタ画像」などがある。【０００５】
この画像は、画像送信元でのキー操作で異なる動きをしたりすることで、通話相手側に数種類の異なる表情や動きを送信すること機能を有している。【０００６】
この様に、従来の携帯電話端末では、通話相手に対して自身の携帯電話内に保存されている画像データを、通話中の話題や感情にあわせて送信する画像を切り替えられる機能を持ち、また、相手から送られてきた画像データを表示する機能を持っている。【０００７】
ここで、携帯電話機の発呼操作が行われると、画像選択部により選択された画像を画像記憶部から読み出し、画像送受信部により通話先に送信するとともに、着呼時に画像送受信部を介して画像を受信すると、携帯電話機のオフフック操作が行われる前に受信画像を画像表示部に表示することで、着呼時に発信者の感情、都合、目的などを確認することができる技術が提案されている（例えば、特許文献１参照）。【０００８】
また、携帯電話端末の記憶部に、予めキャラクタを表すキャラクタデータを格納しておき、受信した音声信号のレベルを検出し、音声レベルに応答して画像表示部にキャラクタのアニメーションを表示し、キャラクタデータはキャラクタの主要部からなるパーツの変形形体であるサブパーツからなり、音声信号レベルに応じてサブパーツを交換し、また、通話中に相手端末からキャラクタの制御信号を受けキャラクタを動作させることで、比較的簡単なやり方で、通話音声にあわせて携帯電話端末の表示画面にキャラクタのアニメーションを表示できる技術が提案されている（例えば、特許文献２参照）。
【特許文献１】特開２００４−０１５１５８号公報
【特許文献２】特開２００５−０６４９３９号公報
【発明の開示】
【発明が解決しようとする課題】
【０００９】
しかしながら、上述した従来例においては次のような問題点があった。【００１０】
通話中の相手側端末に画像を送信するには、画像送受信部を具備する必要があり、携帯電話の構成を複雑化させ、消費電流を増やすことにつながっていた。また、画像伝送時にはその伝送に必要な伝送帯域も必要となり、回線伝送容量が増大していた。【００１１】
さらに、制御信号を送信するまでの使用者の操作が煩雑であり、一時的にでも電子メールを送信するために、その操作画面を表示することが必要となり、いわゆる通話者間で楽しんでいる画像の一部を中断する必要があった。【００１２】
そこで、本発明は、簡易な回路構成で通話中の相手端末の画面に表示する画像を制御し、かつ、回線伝送容量を削減することができる画像表示システム、端末装置、画像表示方法およびプログラムを提供することを目的とする。
【課題を解決するための手段】
【００１３】
本発明の画像表示システムは、ネットワークを介して接続されている複数の端末装置、を含む画像表示システムであって、前記複数の端末装置のうちの自端末装置は、通話中の前記複数の端末装置のうちの相手端末装置の画面に表示される画像を、通話中や通話の開始にあたって前記相手端末装置に送信することなく、該相手端末装置に保存されている画像の識別情報を送信することで切替えることを特徴とする。
【００１４】
本発明の端末装置は、ネットワークを介して接続されている相手端末装置の通話中の画面に表示される画像を、通話中や通話の開始にあたって前記相手端末装置に送信することなく、該相手端末装置に保存されている画像の識別情報を送信することで切替えることを特徴とする。
【００１５】
本発明の端末装置は、ネットワークを介して接続されている相手端末装置から通話中や通話の開始にあたって画像を受信することなく、前記相手端末装置から画像の識別情報を受信することで、自装置に保存されている画像が指定されて、指定された該画像を通話中の画面に切替えて表示することを特徴とする。
【００１６】
本発明の画像表示方法は、ネットワークを介して接続されている複数の端末装置、を利用した画像表示方法であって、前記複数の端末装置のうちの自端末装置は、通話中の前記複数の端末装置のうちの相手端末装置の画面に表示される画像を、通話中や通話の開始にあたって前記相手端末装置に送信することなく、該相手端末装置に保存されている画像の識別情報を送信することで切替えることを特徴とする。
【００１７】
本発明のプログラムは、前記の画像表示方法の処理を情報処理装置に実行させることを特徴とする。
【発明の効果】
【００３２】
本発明の画像表示システム、端末装置、画像表示方法およびプログラムによれば、簡易な回路構成で通話中の相手端末の画面に表示する画像を制御し、かつ、回線伝送容量を削減することができる。
【発明を実施するための最良の形態】
【００３３】
次に、本発明の第１の実施の形態について図を参照して詳細に説明する。【００３４】
図１を参照すると、本実施の形態における画像表示システムは、端末装置１００と、その端末装置１００との通話に用いられている端末装置２００から構成されている。また、端末装置１００および端末装置２００は、プログラム制御により動作し、ネットワーク５００を介して相互に接続されている。ネットワーク５００は、任意のネットワークであってよく、例えば、光ファイバ、インターネット、公衆回線、ＬＡＮ（Local Area Network）、ＡＤＳＬ（Asymmetric Digital Subscriber Line）等であってもよい。なお、通信方法は、有線であっても、無線であってもよい。【００３５】
ここで、端末装置１００は、通信機能を備えた携帯電話機などの情報処理装置であって、無線通信部、表示部、操作部、音声処理部（マイク、スピーカ）、メモリ、制御部など既知の構成を備えている。以下では、携帯電話機として説明を行なうが、それに限定されなく、ＰＤＡ、パーソナルコンピュータ、固定電話機等であってもよい。【００３６】
端末装置２００は、通信機能を備えた携帯電話機などの情報処理装置であって、無線通信部、表示部、操作部、音声処理部（マイク、スピーカ）、メモリ、制御部など既知の構成を備えている。以下では、端末装置１００の通話相手に使用される携帯電話機として説明を行なうが、それに限定されなく、ＰＤＡ、パーソナルコンピュータ、固定電話機等であってもよい。【００３７】
図２を参照して、端末装置１００および端末装置２００のさらに詳細な構成について説明する。【００３８】
端末装置１００および端末装置２００は、無線送受信部１と、電子メール受信部２と、画像ＩＤ検出部３と、画像データ管理部４と、画像表示部５と、電子メールアドレス管理部６と、電子メールアドレス指定部７と、電子メール送信部８と、画像ＩＤ設定部９と、画像指定部１０と、を備えている。【００３９】
次に、図３を参照して本実施の形態の動作のフローについて詳細に説明する。以下では、自身側端末を端末装置１００とし、相手側端末を端末装置２００とすることを前提とする。【００４０】
まず、相手側端末である端末装置２００に表示される画像を切り替えるために、端末装置１００の操作者により通話中に画像指定部１０に入力があったことを検出すると、画像指定部１０は、その情報を画像ＩＤ設定部９に送信する（ステップＳ３０１）。画像指定部１０には、携帯電話機の数字ボタン等を用いる。【００４１】
次に、画像ＩＤ設定部９では、画像指定部１０からの情報から相手側端末で表示させる画像のＩＤを電子メール送信部８に設定する（ステップＳ３０２）。【００４２】
電子メール送信部８では、電子メールアドレス管理部６にて設定された端末装置２００の電子メールアドレス宛に、指定された画像ＩＤを無線送受信部１より端末装置２００へ送信する（ステップＳ３０３）。【００４３】
ここで、電子メールアドレス管理部６は、電子メールアドレス指定部７により通話中の電子メールアドレス指定が端末装置１００の使用者により設定できるようになっている。【００４４】
他方、その通話相手側である端末装置２００では、無線送受信部１より電子メール受信部２に電子メールが送信される（ステップＳ３０４）。【００４５】
電子メール受信部２では、その電子メールが電子メールアドレス管理部６で指定された電子メールアドレスと同一であったことを検出すると、画像ＩＤ検出部３にそのデータを出力する（ステップＳ３０５）。【００４６】
画像ＩＤ検出部３では、画像ＩＤの分析を行ない、画像データ管理部４に表示する画像の指定を行なう（ステップＳ３０６）。【００４７】
画像データ管理部４では、指定された画像を画像表示部５に出力する（ステップＳ３０７）。【００４８】
画像表示部５では、その画像を表示する（ステップＳ３０８）。【００４９】
このように、従来の携帯電話端末で、架空のキャラクタ画像等を相手側端末に表示させ、画像の動きや表情をキー操作で制御していたが、画像送信すること無しに、電子メールを使って相手側端末に保存されている画像データ切替指定をすることで実現することができる。【００５０】
また、通話相手側に表示している画像を切り替える際に、相手端末に「電子メール」を送信する例となっているが、電子メールに限定せずに、携帯電話に具備している「マルチコール機能」で、通話相手側に切替信号を送出することにより同様な効果を得ることができる。【００５１】
上記の実施の形態によれば、通話中の相手画面に表示される画像を画像送信することなく、切り替えることができるようになり、したがって、画像を通話相手端末に送信する機能や、画像を通話相手端末から受信する機能を具備することなく、通話相手の画面に表示されている画像を切り替えることが可能になる。【００５２】
これにより、携帯電話端末は、従来持っていた画像の通信機能を削減でき、構成を簡素化し、さらに消費電流も低減することが可能になる。【００５３】
また、携帯電話利用者も画像データを通話相手に送信せずに済むので、携帯電話の使用量に伴う課金を低減することができ、かつ、表示画像を携帯電話内に保管されているデータを使用するので、無線回線品質により画像が乱れるという問題も発生しなくなる。【００５４】
また、携帯電話システム提供者にとっても、回線伝送量を低減する効果がある。【００５５】
次に、本発明の第２の実施の形態について図を参照して詳細に説明する。上記の第１の実施の形態では、相手側端末の画像切替指示を電子メールを使って実行していたが、本実施の形態では、音を使ってその切替を実行する点が異なる。【００５６】
図４を参照すると、本実施の形態における端末装置１００および端末装置２００は、無線送受信部１と、音声処理部２１と、画像識別音検出部２２と、画像データ管理部４と、画像表示部５と、画像識別音発生部２３と、画像指定部１０と、を備えている。【００５７】
次に、図５を参照して本実施の形態の動作のフローについて詳細に説明する。【００５８】
まず、相手側端末に表示される画像を切り替えるために、携帯電話操作者により通話中に画像指定部１０より入力があったことを検出すると、画像指定部１０は、画像識別音発生部２３に送信する（ステップＳ５０１）。【００５９】
また、画像識別音発生部２３では、画像指定部１０からの情報から相手側端末で表示させる画像の識別音を発生し、音声処理部２１に出力する（ステップＳ５０２）。【００６０】
音声処理部２１では、話者の音声に画像識別音発生部２３の発生した識別音を多重して、相手通話端末へ送信する（ステップＳ５０３）。【００６１】
他方、その通話相手側では、無線送受信部１より音声処理部２１に受信信号が出力され、音声処理部２１で音声に変換される（ステップＳ５０４）。【００６２】
その通話音声は、画像識別音検出部２２にも出力され、画像識別音検出部２２では、画面に表示する画像の識別音を検出し、画像データ管理部４に表示する画像の指定を行なう（ステップＳ５０５）。【００６３】
画像データ管理部４では、指定された画像を画像表示部５に出力する（ステップＳ５０６）。【００６４】
画像表示部５では、その画像を表示する（ステップＳ５０７）。【００６５】
このように、従来の携帯電話端末で、架空のキャラクタ画像等を相手側端末に表示させ、画像の動きや表情をキー操作で制御していたが、画像送信すること無しに、表示画像を指定する音を多重、検出する機能を有することで、相手側端末に保存されている画像データ切替指定を実現することができる。【００６６】
本実施の形態によれば、画像データ切替用の信号を相手側端末に別チャンネルにて送信する必要がなくなるので、第１の実施の形態に比べ、さらに無線伝送量を少なくできるというメリットがある。【００６７】
次に、本発明の第３の実施の形態について説明する。上記の第１の実施の形態では、通話相手側に表示している画像を切り替える際に、キーボタン操作を利用しているが、本実施の形態では、自分の携帯端末に備えられたカメラが話者の表情を読み取り、その表情に応じて、通話相手側に表示されている画像の切替信号を送信する音を使ってその切替を実行することとする。【００６８】
また、本発明の第４の実施の形態として、通話中に表示される画像については、通話相手端末に、通話に先立って通話相手に送信し、その画像データを受信した側が、その画像データを通話中に表示する機能を具備しているものがある。【００６９】
なお、上述する各実施の形態は、本発明の好適な実施の形態であり、本発明の要旨を逸脱しない範囲内において種々変更実施が可能である。例えば、上記の実施の形態における端末装置１００および端末装置２００の機能を実現するためのプログラムを各装置等に読込ませて実行することにより本システムの機能を実現する処理を行なってもよい。さらに、そのプログラムは、コンピュータ読み取り可能な記録媒体であるＣＤ−ＲＯＭまたは光磁気ディスク等を介して、または伝送媒体であるインターネット、電話回線等を介して伝送波により他のコンピュータシステムに伝送されてもよい。【００７０】
上述する各実施の形態は、端末装置１００および端末装置２００が別個に接続されているシステム構成について説明したが、各機能が１つのコンピュータシステムとして実現されている構成や機能毎に複数のサーバ装置等が追加された構成にも適用可能であることはもちろんである。
【図面の簡単な説明】
【００７１】
【図１】本発明の実施形態における画像表示システムの概略構成図である。
【図２】本発明の第１の実施形態における端末装置の構成を示す図である。
【図３】本発明の第１の実施形態における画像表示処理の動作を示すフローチャートである。
【図４】本発明の第２の実施形態における端末装置の構成を示す図である。
【図５】本発明の第２の実施形態における画像表示処理の動作を示すフローチャートである。
【符号の説明】
【００７２】
１００、２００    端末装置
５００    ネットワーク
【図１】
0005245406.tif 000002
【図２】
0005245406.tif 000003
【図３】
0005245406.tif 000004
【図４】
0005245406.tif 000005
【図５】
0005245406.tif 000006